(57)【要約】電磁流量計用送信機（３００）は校正変換回路（３２２）を含み、該回路は校正計算ルーチンを実行して校正定数（Ｋ）を生成し、該定数は流量変換回路（３２６）に入力される。データセット入力部は個々の流管（３０２）と対応づけられる流管データセットを校正変換回路に入力する。データテーブル（３３０）は複数の流管データセットを複数の校正計算ルーチンと対応づける。データ（３３０）テーブルは流管データセットに固有の校正計算ルーチンを校正変換回路（３２２）に入力する。
2010539512.tif 000002
【特許請求の範囲】
【請求項１】
電磁流量計用送信機であって、
流量を表しスケール付けされた出力を計算する流量変換部と、
校正計算ルーチンを実行して、前記流量変換部に入力される校正定数を生成する校正変換部と、
個別の流管と対応付けられた流管データセットを前記校正変換部に入力するデータセット入力部と、
複数の流管データセットを複数の校正計算ルーチンと関連づけ、前記流管データセットに固有の校正計算ルーチンを前記校正変換部に入力するデータテーブルとを備えることを特徴とする電磁流量計用送信機。
【請求項２】
前記複数の校正計算ルーチンが、電磁流管アセンブリの複数の供給業者のために、流管データセットと校正計算との間の異なる関係を対応づけることを特徴とする請求項１に記載の電磁流量計用送信機。
【請求項３】
前記異なる関係が、校正計算を流速に対応付ける第１のデータセットと、校正計算を体積流量に対応付ける第２のデータセットとを含むことを特徴とする請求項２に記載の電磁流量計用送信機。
【請求項４】
前記異なる関係が、校正計算を体積流量に対応づける第１のデータセットと、校正計算を流管の直径に対応付ける第２のデータセットとを含むことを特徴とする請求項２に記載の電磁流量計用送信機。
【請求項５】
前記異なる関係が、校正計算を電磁流管アセンブリの公称値サイズと関連する公称値の直径に対応付ける第１のデータセットを含むことを特徴とする請求項２に記載の電磁流量計用送信機。
【請求項６】
前記データセット入力部は、前記電磁流量計用送信機中にキーボードとディスプレイを備えることを特徴とする請求項１に記載の電磁流量計用送信機。
【請求項７】
前記データセット入力部は、外付けデータ入力機器とデータ交換する電気的入力部を備えることを特徴とする請求項１に記載の電磁流量計用送信機。
【請求項８】
流量電圧を前記流量変換部に入力する入力部をさらに備えることを特徴とする請求項１に記載の電磁流量計用送信機。
【請求項９】
ユーザ入力のスケール係数を前記流量変換部に入力する入力部をさらに備えることを特徴とする請求項１に記載の電磁流量計用送信機。
【請求項１０】
電磁流量計用送信機であって、
流量を表すスケール付けされた出力を計算する流量変換部と、
校正計算ルーチンを実行して前記流量変換部に入力する校正定数を生成する校正変換部と、
個別の流管に対応づけられた流管データセットを前記校正変換部に入力するデータセット入力部と、
流管データセットを前記校正変換部に入力する校正計算ルーチンに対応づけるデータとを備えことを特徴とする電磁流量計用送信機。
【請求項１１】
前記流管データセットが、知の流量を用いた校正スタンドでテストすることにより作成されることを特徴とする請求項１０に記載の電磁流量計用送信機。
【請求項１２】
前記流量送信機が、前記流管データセットと対応づけられた、ユーザが選択した流管の名称を格納することを特徴とする請求項１０に記載の電磁流量計用送信機。
【請求項１３】
前記校正定数が、流量電圧／（電流×体積流量）の単位を備えることを特徴とする請求項１０に記載の電磁流量計用送信機。
【請求項１４】
前記校正定数が、流量電圧／想定電流レベルでの体積流量の単位を備えることを特徴とする請求項１０に記載の電磁流量計用送信機。
【請求項１５】
前記校正定数が、想定電流レベルと想定最大測定限界体積流量とにおける流量電圧の単位を備えることを特徴とする請求項１０に記載の電磁流量計用送信機。
【請求項１６】
前記校正定数が、流量電圧／（電流×流速）の単位を備えることを特徴とする請求項１０に記載の電磁流量計用送信機。
【請求項１７】
前記校正定数が、流量電圧／想定電流レベルでの流速の単位を備えることを特徴とする請求項１０に記載の電磁流量計用送信機。
【請求項１８】
前記校正定数が、想定電流および想定最大測定限界流速での流量電圧を備えることを特徴とする請求項１０に記載の電磁流量計用送信機。
【請求項１９】
電磁流量計用送信機であって、
流量を表すスケール付けされた出力を計算する流量変換部と、
校正計算ルーチンを実行して前記流量変換部に入力する校正定数を生成する校正変換部と、
個別の流管に対応づけられた流管データセットを前記校正変換部に入力するデータセット入力部と、
複数の流管データセットを複数の校正計算ルーチンに関連づけ、前記流管データセットに固有の校正計算ルーチンを前記校正変換部に入力するデータテーブルと、
前記校正変換部に対して、前記データテーブルまたは標準校正計算ルーチンのいずれかを選択する選択部とを備えることを特徴とする電磁流量計用送信機。
【請求項２０】
前記選択部が、ユーザ入力に基づいて選択することを特徴とする請求項１９に記載の電磁流量計用送信機。
【発明の詳細な説明】
【技術分野】
【０００１】
本発明は電磁流量計用送信機に関する。
【背景技術】
【０００２】
電磁流量計システムは流管アセンブリと送信機アセンブリとを含み、これらアセンブリは一つもしくは一つより多数のケーブルによって互いに電気的に接続されている。流管アセンブリは送信機アセンブリから電流を受け取る。電流は流管アセンブリの絶縁された内径部分に磁場を発生させる。流体は絶縁された内径部分の磁場内を流れる。磁場内の流体の運動によって流量電圧が発生する。ファラデーの電磁誘導の法則により流量電圧は流れの速度に比例する。絶縁された内径部分の電極が流量電圧を検知し、流量電圧はケーブルによって送信機アセンブリに伝えられる。送信機アセンブリは電圧を測定し、流体の流速を表す一つもしくは一つより多数のスケール付けされた電気的出力を出力する。
【０００３】
流量電圧は、絶縁した内径部分での磁場分布形状、電流の大きさ、電極間の間隔、電極間の流体の速度およびその他の流管アセンブリの設計要素の関数である。流体の速度は、流体の体積流量と電極付近の絶縁された内径部分の直径との関数である。流管アセンブリの性能は式１と２により近似的に表される：
K=E/(I Q)                式１
Q = V1(π)(D1/2)2 = V2(π)(D2/2)2        式２
ここでEは流量電圧、Iは電流、Qは体積流量であり、Kは流管アセンブリの性能を表す定数（後述の校正定数）である。V1、D1はそれぞれ流速および電極付近の内径部分直径である。V2、D2はそれぞれ流管アセンブリが接続される隣接する配管における流速および内径部分直径である。定数Kは電極間の間隔、磁場の形状、体積流量の関数としての流速およびその他の設計要素の全ての影響が考慮に入った定数である。
【０００４】
流管アセンブリの製造時もしくは点検修理サービス時、流管アセンブリは一時的に校正システム（計量器校正器、流量校正スタンド、流量実験室など）に接続される。校正システムは校正された電流と校正された体積流量を出力する。校正システムは流量電圧を測定する。定数Kは電流および体積流量の既知の値、並びに流量電圧の測定値から算出される。算出された定数Kは記録され、流管アセンブリの校正データとして利用される。典型的には、メーカーの校正データが流管アセンブリの銘板に個々のメーカーに固有の形式で記録されている。
【０００５】
メーカーが異なると流管アセンブリの銘板に記録されるデータの単位系も異なる。場合によっては、銘板に記録されたデータは体積流量を直接的に基準としたデータではなく、想定されるパイプ直径の公称値における流速を間接的に基準としたデータであることもある。場合によっては、銘板のデータは当該メーカーの送信機を前提とした電流の想定値に基づくデータであり、Kではなく(K1)を表していることもある。こうした問題は次のような事情によって複雑となる。その事情とは、送信機は流管の多数の異なる直径の範囲で動作するように設計されることが典型的であり、これらの直径は銘板のデータに取り込まれていることもあれば取り込まれていないこともあるという事情である。さらに問題を複雑にする事情として、銘板データには定数Ｋを表すのと同じ数にスケール係数を含んでいることもあれば含んでいないこともある、という事情がある。
【０００６】
各メーカーは個別に電磁流量計の送信機アセンブリを設計し、各メーカー独自の流管アセンブリで採取した銘板データのデータエントリを利用するようにしている。通常は別メーカー製の流管アセンブリから取った銘板データを入力する準備はなされていない。
【０００７】
あるメーカーの銘板データを別のメーカーのフォーマットに変換するリスク、煩雑さおよび取引コストは非常に大きいので、産業ユーザは一般にはあるメーカーの流管アセンブリと別のメーカーの送信機アセンブリとを含む混在した電磁流量計システムを利用しようとはしない。大抵の場合産業ユーザはまた、混在した電磁流量計システムに対して利用することができるシステムで、銘板データを用いずに流量校正を実行できる流量校正システムを現場で利用することができない。
【発明の概要】
【発明が解決しようとする課題】
【０００８】
複数のメーカーの銘板データ方式を学習してある銘板データ方式から別の銘板データ方式に変換計算する煩雑さから解放された、混在した電磁流量計システムをユーザが利用可能になる方法および装置が必要である。
【課題を解決するための手段】
【０００９】
電磁流量計用送信機が開示される。電磁流量計用送信機は、流量を表しスケール付けされた出力を計算する流量変換回路を備える。
【００１０】
電磁流量計用送信機はさらに校正変換回路を備える。校正変換回路は校正計算ルーチンを実行する。該ルーチンは校正定数を生成する。校正定数は流量変換回路に入力される。
【００１１】
電磁流量計用送信機はさらにデータセット入力部を備える。データセット入力部は個々の流管に対応付けられた流管データを校正変換回路に入力する。
【００１２】
電磁流量計用送信機はまたデータテーブルを含む。データテーブルは複数の流管データセットを複数の校正計算ルーチンに対応づける。データテーブルは流管データセットに固有の校正計算ルーチンを校正変換回路に入力する。
【図面の簡単な説明】
【００１３】
【図１】各々に汎用送信機を含む３つの電磁流量計システムを備える産業設備の一部を示す図である。
【図２】電磁流量計の流管アセンブリを示す図である。
【図３】流管アセンブリと汎用送信機を含む電磁流量計システムのブロック図である。
【図４】校正変換回路の第１実施形態の動作を示す図である。
【図５】校正変換回路の第２実施形態の動作を示す図である。
【図６】校正変換回路の第３実施形態の動作を示す図である。
【発明を実施するための形態】
【００１４】
以下に説明する実施形態では、汎用送信機とは、汎用送信機で利用するよう設計された流管に対しても、また汎用送信機で利用するよう設計されていない別メーカーの流管に対しても容易に校正できる機能があるものである。
【００１５】
汎用送信機は、流管のモデル番号または名称に対して適切な校正計算ルーチンを対応づけたデータテーブルを含む。流管システムを設置する技術者は流管メーカーが用いる校正方法の詳細につき何ら知っておく必要がない。流管が特定されると、標準的な流管のモデル番号またはあつらえ（カスタム）の流管の名称のいずれかにより、送信機は流管に対して対応付けられた校正データセットを入力する適切なルーチンを自動的に提供し、流管に固有の校正ルーチンを自動的に提供する。
【００１６】
図１に、汎用送信機１０８、１１０、１１２として参照される機器を各々含む３つの電磁流量計システム１０２、１０４、１０６を備える産業設備の一部を示す。第１の汎用送信機１０８はケーブル１１４により第１のメーカー製の第１の流管アセンブリ１１６に接続される。第２の汎用送信機１１０はケーブル１１８により第２のメーカー製の第２の流管アセンブリ１２０に接続される。第３の汎用送信機１１２は第３のケーブル１２２により第３のメーカー製の第３の流管アセンブリ１２４に接続される。本願で用いる「汎用送信機」という用語は、汎用送信機のメーカーに固有の校正記録システムとは異なるシステムを校正情報の記録に用いる複数のメーカー製の流管アセンブリ、または流管メーカーが校正情報を提供しない流管アセンブリ、における使用に対して校正できる電磁流量計の送信機を意味する。
【００１７】
汎用送信機１０８、１１０、１１２はそれぞれ互いに同一の設計を有する。流管アセンブリ１１６、１２０、１２４はそれぞれ別のメーカー製である。流管アセンブリ１１６、１２０、１２４にはそれぞれ銘板データ１２６、１２８、１３０が記録されている。銘板データ１２６、１２８、１３０はそれぞれ、銘板データから「定数K」を推測するのに異なる方式を有する。流管アセンブリ１１６、１２０、１２４はそれぞれ直径がＤ１０１、Ｄ１０２、又はＤ１０３の絶縁された内径部分を有する。直径Ｄ１０１、Ｄ１０２、Ｄ１０３は一般に同じ値ではない。図３〜６に関連して後述するように、汎用送信機１０８、１１０、１１２はそれぞれ、別メーカーの銘板データ１２６、１２８、１３０を汎用送信機に入力できるようなデータエントリ機能を有する。
【００１８】
図２に電磁流量計の流管アセンブリ２００を示す。流管アセンブリ２００は導管２０４を通じて流体２０２の流れを運ぶ。電磁コイル２０６、２０８は電流（Ｉ）２１０を流し、電流２１０は流体２０２内に磁場Ｂを発生させる。流体２０２が磁場Ｂを貫通して流れると、ファラデーの電磁誘導の法則により流体２０２内に起電力が発生する。起電力は流管電極２１２、２１４で検出され、一般に導管２０４を流れる流体２０２の流速に比例する。
【００１９】
この実施形態では、流管電極２１２は導線２１６で負の電極端子２１８に接続される。流管電極２１４は導線２２０で正の電極端子２２２に接続される。流量電圧Ｅは端子２１８、２２２間に現れる。グランド電極２２４はプロセス流体をグランド接続する。グランド電極２２４は導線２２６（図示するようにケーブルシールドを含んでいてもよい）によって、グランド信号端子２２８に接続される。グランド電極２２４は導管２０４内の金属ピンであってもよいし、別実施形態では流体２０２に接するグランドリング又は金属パイプであってもよい。コイル端子２３０、２３２は導線２３４、２３６、２３８で電磁コイル２０６、２０８に接続し、電流２１０を供給する。電流（Ｉ）２１０は典型的には振幅の典型的な値が約０．５〜０．０７５アンペアで基本周波数の典型値が約３〜７５Ｈｚの傾斜した矩形波となる。
【００２０】
流管アセンブリ２００の端子２１８、２２２、２２８、２３０、２３２はケーブルアセンブリによって汎用流体送信機のような電磁流量計送信機に接続可能である。ケーブルアセンブリは典型的には電極導線用の静電遮蔽ケーブルとコイル導線用のツイストペア又はシールドケーブルを含む。流管アセンブリ２００は典型的にはプロセス配管系に設置され、ケーブルアセンブリを介して汎用電磁流量計送信機に接続される。汎用電磁流量計送信機は流管アセンブリ２００に設置し短いケーブルで接続してもよいし、もしくは汎用送信機はリモート配置で設置して図１に示すような長いケーブル（複数ケーブルでもよい）で接続してもよい。
【００２１】
図３に、流管アセンブリ３０２（流管３０２とも呼ぶ）と汎用送信機３０４とを含む電磁流量計システム３００のブロック図を示す。汎用送信機３０４はケーブル３０６、３０８によって流管アセンブリ３０２に接続される。汎用送信機３０４は電流（Ｉ）３１０を流管アセンブリ３０２に供給する。流管アセンブリ３０２は流量電圧（Ｅ）３１２を汎用送信機３０４に供給する。流管アセンブリ３０２は、流管アセンブリ３０２を通過する流体の体積流量（Ｑ）３１４を検出する。
【００２２】
データ３１６（流管データセット３１６とも呼ぶ）は流管アセンブリ３０２と対応づけられる定数Ｋ（式１を参照）を表すデータである。データ３１６はまたモデル番号、シリアル番号、ラインのサイズおよびその他のデータ、つまり流管メーカーが流管アセンブリ３０２と対応づけて提供した、流管アセンブリ又は送信機（汎用送信機ではない）に関するデータを含んでいてもよい。データ３１６は（図１の１２６、１２８、１３０で示すように）流管アセンブリ３０２に取り付けておいてもよい。データ３１６は別実施形態では流管アセンブリ３０２に掛け札を取り付けておくことで提供されてもよいし、メーカーのウェブサイトからオンラインでアクセス可能であってもよいし、その他の手段で提供されてもよい。
【００２３】
ユーザは線３１８で示されているようにデータ３１６を汎用送信機３０４に転送することができる。ユーザはまた線３２０で示されているようにスケール係数Ｓの情報を汎用送信機３０４に提供することができる。汎用送信機３０４は校正変換回路３２２を備え、校正変換回路３２２は図中３２４で示されるように校正計算ルーチンを実行することによりユーザのデータ入力３１８を定数Ｋに変換する。図中３２４の定数Kは流量変換回路３２６に入力される。流量変換回路３２６は、定数Ｋを図中３２４で、流量電圧Ｅを図中３１２で、スケール係数Ｓを図中３２０で受け取る。流量変換回路３２６は図中３２８でスケール付けされた流量出力Ｆを出力する。一実施形態では、スケール付けされた出力はF=(E/KI)/(S)である。複数のスケール付けされた出力を出力してもよい。一実施形態においては、流量変換回路３２６はオプションを備えていて、ガロン当たりのパルス数、リットル当たりのパルス数、ガロン当たりのミリアンペア、リットル当たりのミリアンペア、（フィート／秒）当たりのミリアンペア、又は（メートル／秒）当たりのパルス数といったような複数の様々なフォーマットでユーザ入力によるスケール係数Ｓのデータを受け取るようになっていてもよい。
【００２４】
一実施形態においては、校正変換回路３２２と流量変換回路３２６は組み込み（embedded）マイクロプロセッサ／DSPシステムとして実現される。別の一実施形態においては、組み込みマイクロプロセッサ／DSP（デジタル信号処理プロセッサ）システムはマイクロプロセッサ／DSP、ランダムアクセスメモリ（RAM）、読み出し専用メモリ（ROM）および電気的に書き換え可能な不揮発性ランダムアクセスメモリ、キーバッドおよび光学ディスプレイを備えていてもよい。さらに別の一実施形態においては、組み込みマイクロプロセッサ／DSPシステムはディスクドライブ又は電気的に書き換え可能な読み出し専用メモリを備える。
【００２５】
汎用送信機３０４はさらにデータテーブル３３０を備える。一実施形態においては、データテーブル３３０は電気的に書き換え可能な読み出し専用メモリ又は他の蓄積機構に格納される。汎用送信機３０４はデータテーブル３３０のデータを受け取る入力部３３２を備える。データテーブルは、算術計算を実行して複数メーカーのデータを定数Ｋに変換するための変換データのデータベースを備える。変換データは複数のメーカーから入手したデータであっても、複数のメーカー製のサンプル流管アセンブリでの流量校正により入手したデータであっても、それら両方のデータであってもよい。別の一実施形態においては、校正変換回路３２２は定数Ｋの限界テストを含み、該テストにより流速が１〜１２メートル／秒の範囲外にある流量を示す係数Ｋが特定される。限界テストにより、定数Ｋが誤りを含む可能性のあるデータ入力となっていることを、ユーザに対して警告する警告出力を出力することができる。汎用送信機３０４へのデータおよびデータベースの入力は、汎用送信機３０４の一部であるキーボード／ディスプレイを用いることで、もしくは、パーソナルコンピュータ、携帯型校正機器又はその他のユーザインタフェースからダウンロードすることで実施することができる。
【００２６】
一実施形態においては、汎用送信機３０４は流管アセンブリのモデル番号に基づき、電流Ｉのレベルを流管アセンブリに最も適合したレベルに自動的に制御することができる。電流Ｉのレベルを自動設定すれば、流量電圧の適切なレベルが確保され、流管アセンブリのコイルが過熱状態になることや流管アセンブリの磁心が飽和することを防ぐことができる。
【００２７】
図４に、図３の校正変換回路３２２のような校正変換回路の動作の第１実施形態を示す。処理は開始ブロック４０２で始まり、ここでは校正ルーチンに入れという命令をユーザが入力する。処理は線４０４に沿って動作ブロック４０６へ続く。動作ブロック４０６では、供給業者（例えばメーカー）のリストがユーザに対して表示される。供給業者のリストは、汎用送信機内のデータベースの一部である供給業者名データテーブルのフィールドから入手する。動作ブロック４０６を完了すると、処理は線４０８に沿って動作ブロック４１０へ続く。
【００２８】
動作ブロック４１０では、ユーザは供給業者リストから１つの供給業者を選択する命令を入力する。ユーザは、ユーザが汎用送信機に接続した流管アセンブリの供給業者を選択する。供給業者リスト内の各供給業者は供給業者データテーブルのキーフィールド内に、固有の供給業者番号を有する。キーフィールドは、供給業者番号と対応づけられる校正データテーブルを指し示している。動作ブロック４１０を終えると、処理は線４１２に沿って動作ブロック４１４へ続く。
【００２９】
動作ブロック４１４では、利用可能なモデル番号のリストがユーザに表示される。モデル番号を表示すると、処理は線４１６に沿って動作ブロック４１８へ続き、ここではユーザはリストからモデル番号を選択するか、又は選択しない場合は校正ルーチンを中止する。有効なモデル番号が選択されると、処理は線４２０に沿って動作ブロック４２２に続く。
【００３０】
動作ブロック４２２では、ユーザに対して係数Ｋと関係しているデータＫ'（例えば接続した流管の銘板から取ったデータ）の入力を促す表示がユーザに対して提示される。このようにして入力されたデータＫ'は、典型的には係数Ｋとは一致せず、データベースにおいて指し示されているモデル番号データを用いて（データＫ'から）係数Ｋを算出するようなデータである。該データは電極信号対コイル電流の比を表している。一実施形態においては、表示部は流管アセンブリの銘板における配置に類似したイメージ配置を模擬するように設定される。動作ブロック４２２を終えると、処理は線４２４に沿って動作ブロック４２６へ続く。動作ブロック４２６では、定数Ｋに関係している銘板の情報Ｋ'をユーザが入力する。動作ブロック４２６を終えると、処理は線４２８に沿って動作ブロック４３０に続く。
【００３１】
動作ブロック４３０では、定数Ｋが銘板情報Ｋ'およびモデル番号情報の関数として算出される。算出される関数は流管アセンブリのモデル毎に異なるのが典型的である。各関数は各モデル番号と対応づけられるフィールドに格納される。動作ブロック４３０を終えると、処理は線４３２に沿って動作ブロック４３４に続く。
【００３２】
動作ブロック４３４では、定数Ｋが汎用送信機の不揮発性メモリに格納される。別実施形態として、定数Ｋの係数から調整係数（calibration number）を生成してメモリに格納してもよい。この段階において校正データが計算され格納されて、図３の流量変換回路３２６のような流量変換回路で利用可能となる。動作ブロック４３４を終えると、処理は線４３６に沿って終了ブロック４３８へ続く。終了ブロック４３８では、校正ルーチンは終了し、図３の流量変換回路３２６のような流量変換回路の動作が、保存された定数Ｋ（校正定数）又は調整係数の新たな値を用いて継続する。
【００３３】
図５に、図３の校正変換回路３２２のような校正変換回路の動作の第２実施形態を示す。処理は開始ブロック５０２で始まり、ここではユーザは校正ルーチンを選択する。開始ブロック５０２を終えると、処理は線５０４に沿って動作ブロック５０６に続く。動作ブロック５０６ではデータ入力画面が表示されて、ユーザに対して内径部分の内部直径の入力と、汎用送信機へ接続される流管アセンブリの名称もしくは代表的なラインサイズの入力とを促す。動作ブロック５０６を終えると、処理は線５０８に沿って動作ブロック５１０へ続く。
【００３４】
動作ブロック５１０では、ユーザは内径部分の直径と、ユーザが流管アセンブリと対応づけている名称を入力する。動作ブロック５１０を終えると、処理は線５１２に沿って動作ブロック５１４へ続く。動作ブロック５１４では流量システムが校正システムに接続され、校正システムはユーザがデータとして入力した校正された流体流量を１つ又は１つより多数出力する。流量電圧は流体が流れる間に測定される。汎用送信機は流体の流量に関して入力されたデータと測定された流量電圧とから定数Ｋを計算する。定数Ｋ（又は調整係数）は後の動作時において使用するため格納され、またユーザに対して提示される。動作ブロック５１４を終えると、処理は線５１６に沿ってブロック５１７に続く。ブロック５１７では、定数Ｋから調整係数を計算する。ブロック５１７を終えると、線５１９に沿ってブロック５１８に続く。ブロック５１８では、ユーザは表示された定数Ｋを流管アセンブリに記録する。動作ブロック５１８を終えると、処理は線５２０に沿って動作ブロック５２２に続く。
【００３５】
動作ブロック５２２では、ユーザはプロセス流体の流れを測定するために産業プロセス設備に流管アセンブリと汎用送信機とを設置する。動作ブロック５２２を終えると、処理は線５２４に沿って動作ブロック５２６へ続く。動作ブロック５２６では、ユーザは定数Ｋ（定数Kすなわち校正定数）又は調整係数を入力する。校正時と産業設備設置時との両方で同じ汎用送信機が用いられていた場合、ユーザは単に流管の名称を選択するだけでよく、この選択により過去に格納された定数Ｋ又は調整係数が自動的に選択される。異なる汎用送信機を用いる場合、ユーザは定数Ｋと、内部の直径と、流管アセンブリに選択した名称とを入力する。動作ブロック５２６を終えると、処理は線５２８に沿って動作ブロック５３０に続く。
【００３６】
動作ブロック５３０では、汎用送信機が送信機用の流量計算を、定数K、内径部分の直径およびその他のデータの関数として計算する。該その他のデータは例えば、流管アセンブリに適合する電流Iの選択設定値を含んでいてもよい。動作ブロック５３０を終えると、処理は線５３６に沿って終了ブロック５３８に続く。終了ブロック５３８では、流量計システムは流量測定が可能な状態となっている。
【００３７】
図６に図３の校正変換回路３２２のような校正変換回路の動作の第３実施形態を示す。処理は開始ブロック６０２で始まり、ここではユーザは校正開始を選択する。処理は開始ブロック６０２から線６０４に沿って動作ブロック６０６へと続く。動作ブロック６０６では、汎用送信機が校正ルーチンの選択候補を表示し、処理は線６０８に沿って続く。
【００３８】
ブロック６１０では、ユーザは汎用送信機での利用のために特に設計された標準的な流管アセンブリを校正する、標準校正ルーチンを選択することができ、この場合処理は線６１２に沿って動作ブロック６１８に続く。動作ブロック６１８では、通常の校正が実行される。
【００３９】
ユーザはまたカスタムの流管校正ルーチンを選択することができ、このルーチンでは標準的な流管アセンブリとは異なるが、校正に関連する情報が記録されているメーカー製の流管アセンブリを校正する。この場合処理は線６１６に沿って動作ブロック６２０へと続く。動作ブロック６２０は図４に示すような校正ルーチンであってよい。ブロック６４０において、ベンダー（供給業者）名のメニューが表示され、ユーザはベンダー名の選択が可能となる。動作ブロック６４２では、ベンダーの様々なモデル番号が表示され、ユーザは特定のモデル番号を選択する。次にブロック６４４では、ベンダーが提供している定数Ｋをユーザが入力できるように、ユーザに対して表示が出される。この入力は例えば上述のＫ'であってもよいし、定数Ｋに単に関係するだけのデータであってもよい。ブロック６４６では、定数Ｋが変換テーブル６４８を用いて計算される。別実施形態として、調整係数を計算してもよい。最後にブロック６５０において、送信機は算出された定数Ｋ又は算出された調整係数に基づいて流量を計算する。
【００４０】
ユーザはまたカスタムのラインサイズの校正ルーチンを選択することができ、このルーチンでは銘板データが利用できない流管アセンブリを校正する。この場合、処理は線６１４に沿って動作ブロック６２２へ続く。動作ブロック６２２は図５に示すような校正ルーチンとすることができる。
【００４１】
本願発明は好ましい実施形態に関して説明してきたが、当業者には本願発明の精神および範囲から逸脱することなく形式および詳細を変更しうることが認識されるであろう。
【符号の説明】
【００４２】
３００・３０４…電磁流量計用送信機、３２６…流量変換回路、３２２…校正変換回路、３１８…データセット入力部、３３０…データテーブル
【図１】
2010539512.tif 000003
【図２】
2010539512.tif 000004
【図３】
2010539512.tif 000005
【図４】
2010539512.tif 000006
【図５】
2010539512.tif 000007
【図６】
2010539512.tif 000008
【国際調査報告】
2010539512.tif 000009
2010539512.tif 000010